(57)【要約】【課題】巻き取り時の安全性が高い巻取装置を提供する。【解決手段】操作者Ｓに装着又はその操作者Ｓの近傍に設けてなる支持体Ａと前記支持体Ａに対して接離動作する被支持体Ｂとを連結する連結部材Ｌと、前記支持体Ａと前記被支持体Ｂとが接近するように前記連結部材Ｌを自動的に巻き取る巻取手段Ｅと、前記巻取手段Ｅの巻き取り動作をロックするロック手段Ｄと、前記被支持体Ｂの近傍に設けられ所定操作によって前記ロック手段Ｄのロックを解除するロック解除手段５とを具備するようにした。【選択図】図１
2004359447.tif 000002
【特許請求の範囲】
【請求項１】
操作者に装着又はその操作者の近傍に設けてなる支持体と前記支持体に対して接離動作する被支持体とを連結する連結部材と、
前記支持体と前記被支持体とが接近するように前記連結部材を自動的に巻き取る巻取手段と、
前記巻取手段の巻き取り動作をロックするロック手段と、
前記被支持体の近傍に設けられ所定操作によって前記ロック手段のロックを解除するロック解除手段とを具備していることを特徴とする巻取装置。
【請求項２】
前記巻取手段が、前記連結部材を巻き取るための第１の部材と、前記第１の部材を巻き取り方向に付勢する巻取用付勢手段とを備えていることを特徴とする請求項１記載の巻取装置。
【請求項３】
前記第１の部材を所定軸回りに回動可能に包持する、第２の部材を備えていることを特徴とする請求項２記載の巻取装置。
【請求項４】
前記ロック手段が、係合することにより前記巻取手段の巻き取り動作をロックする係合部と被係合部とを備え、前記係合部を前記第１の部材および前記第２の部材のいずれか一方に設けるとともに、前記被係合部を他方に設けていることを特徴とする請求項３記載の巻取装置。
【請求項５】
前記係合部と被係合部とが係合するように付勢するロック用付勢手段を具備していることを特徴とする請求項４記載の巻取装置。
【請求項６】
前記ロック解除手段が、前記第１の部材をロック用付勢手段の付勢力に抗して押圧移動させるための押圧部を備えたものであることを特徴とする請求項５記載の巻取装置。
【請求項７】
前記係合部と前記被係合部とが係合解除状態にある際に、前記ロック用付勢手段により付勢されている前記第１の部材の位置決めを行う位置決め要素を、前記第１の部材と前記押圧部との間に設けていることを特徴とする請求項６記載の巻取装置。
【請求項８】
前記巻取手段によって前記支持体と前記第２の部材とが接触するように位置付けられた際に、前記第２の部材が前記支持体に対して所定方向を向くように制御する方向制御手段を、前記支持体と前記第２の部材との間に設けていることを特徴とする請求項３乃至７いずれか記載の巻取装置。
【請求項９】
前記方向制御手段が、略半球形状に膨出する凸部と略半球状に窪ませた凹部とを備え、前記凸部を前記支持体および前記第２の部材のいずれか一方に設けるとともに、前記凹部を他方に設けていることを特徴とする請求項８記載の巻取装置。
【発明の詳細な説明】
【０００１】
【発明の属する技術分野】
本発明は、名刺フォルダ等の被支持体とこの被支持体を支持する支持体とを連結する連結部材を巻き取るための巻取装置に関するものである。
【０００２】
【従来の技術】
従来、名刺フォルダやキー等の被支持体を先端に取り付けた紐体を引出し可能に収容する巻取装置は、リール筐体と、該筐体に設けた支軸と、該支軸回りで回転するリールと、該リールを巻き取り方向に付勢するゼンマイばねとを具備し、前記リールの外周には、円周方向に所定ピッチで係合部を備えたラチェット機構が装備され、前記リール筐体には、前記係合部に係脱可能に係合するラチェット爪が設けたものが知られている。
【０００３】
このような、巻取装置は、紐体をリール筐体から所要量引き出した状態で、紐体に掛かるゼンマイばねによる巻取力を一時的に解除して、引き出した紐体やその先端に設けた被支持体の操作を容易に行うことができるように構成されている（例えば、特許文献１参照。）。
【０００４】
【特許文献１】
特開２００２−３６２７９２号公報（第２〜３頁、第１図）
【０００５】
【発明が解決しようとする課題】
しかしながら、以上のような構成では、紐体を巻き取る際に、ゼンマイばねの巻取力が強かったり或いは紐体の先端に取り付けている被支持体が軽い場合には、急激に巻き取られる紐体が自由な動きをし、最悪の場合には紐体の先端に取り付けた被支持体で顔が傷つけられてしまうといった不具合が発生するなど安全性に問題点を有している。
【０００６】
そこで本発明は、上述のような巻取装置に限らず、被支持体とこの被支持体を支持する支持体とを連結する連結部材を巻き取るための巻取装置一般について、上述した課題を解決することを主たる目的とするものである。
【０００７】
【課題を解決するための手段】
すなわち、本発明に係る巻取装置は、操作者に装着又はその操作者の近傍に設けてなる支持体と前記支持体に対して接離動作する被支持体とを連結する連結部材と、前記支持体と前記被支持体とが接近するように前記連結部材を自動的に巻き取る巻取手段と、前記巻取手段の巻き取り動作をロックするロック手段と、前記被支持体の近傍に設けられ所定操作によって前記ロック手段のロックを解除するロック解除手段とを具備していることを特徴とする。
【０００８】
このようなものであれば、所定操作によってロック手段のロックを解除するロック解除手段が、被支持体の近傍に設けられているので、連結部材が急激に巻き取られた場合でも、該連結部材は、その先端で所定の操作をしている操作者によって自由な動きを束縛される。すなわち、安全性の高い巻取装置を提供することができる。
【０００９】
なお、何ら特別な操作をすることなく連結部材を巻き取り得るようにするためには、前記巻取手段が、前記連結部材を巻き取るための第１の部材と、前記第１の部材を巻き取り方向に付勢する巻取用付勢手段とを備えていることが望ましい。
【００１０】
また、該巻取装置をコンパクトなものとするためには、前記第１の部材を所定軸回りに回動可能に包持する、第２の部材を備えていることが好ましい。
【００１１】
簡単な構成で確実なロック状態を実現するためには、前記ロック手段が、係合することにより前記巻取手段の巻き取り動作をロックする係合部と被係合部とを備え、前記係合部を前記第１の部材および前記第２の部材のいずれか一方に設けるとともに、前記被係合部を他方に設けていることが望ましい。
【００１２】
ところで、前記係合部と被係合部とが係合するように付勢するロック用付勢手段を具備しているものであれば、前記ロック解除手段が所定操作を受けない場合には、係合部と被係合部とが常に係合する状態すなわち巻取動作ロック状態となるので、不意に連結部材が巻き取られてしまうといった不具合を防止することができる。
【００１３】
また、第１の部材を安定保持しつつ所定軸回りに回動させるには、前記ロック解除手段が、前記第１の部材をロック用付勢手段の付勢力に抗して押圧移動させるための押圧部を備えたものであり、また、前記係合部と前記被係合部とが係合解除状態にある際に、前記ロック用付勢手段により付勢されている前記第１の部材の位置決めを行う位置決め要素を、前記第１の部材と前記押圧部との間に設けていることが望ましい。
【００１４】
さらに、巻き取り時に見栄えのよいものとするためには、前記巻取手段によって前記支持体と前記第２の部材とが接触するように位置付けられた際に、前記第２の部材が前記支持体に対して所定方向を向くように制御する方向制御手段を、前記支持体と前記第２の部材との間に設けていることが好ましい。この場合の望ましい態様としては、前記方向制御手段が、略半球形状に膨出する凸部と略半球状に窪ませた凹部とを備え、前記凸部を前記支持体および前記第２の部材のいずれか一方に設けるとともに、前記凹部を他方に設けているものが挙げられる。
【００１５】
【発明の実施の形態】
以下、本発明の一実施形態について図面を参照して説明する。
【００１６】
本実施形態に係る巻取装置Ｐは、図１、図２に示すように、例えば、操作者Ｓの胸ポケットＳ１に装着した支持体たるクリップＡとともに用いられるものであって、被支持体たる名刺フォルダＢを下方に支持する第２の部材たるケースＣと、一端部Ｌ１を前記クリップＡに支持され他端部Ｌ２側を前記ケースＣに巻き取り収納される紐体Ｌとを具備してなる。前記ケースＣは、図１〜図３に示すように、前後方向に取り外し可能な前ケース１と後ケース２とを備え、この前ケース１と後ケース２とを取り付けた際に形成される内部空間に、前記紐体Ｌを該ケースＣ内に巻き取るための、第１の部材たるリール３、ロック用付勢手段たるコイルばね４、ロック解除手段たるロック解除ボタン５、巻取用付勢手段たるゼンマイばね６等を収容している。
【００１７】
なお、本実施形態において、前記前ケース１と前記後ケース２とを組み立てた状態において、前ケース１が配置される側を「前側」、後ケース２が配置される側を「後側」、クリップＡに吊り下げられる側を「上側」、名刺フォルダＢを吊り下げる側を「下側」と定義して説明を進めるものとする。
【００１８】
また、紐体Ｌを、巻き取り方向に各部等断面形状を有する合成樹脂製の釣り糸状のものとしているが、これに限られるものではない。
【００１９】
以下、各部を詳述する。
【００２０】
前ケース１は、図３〜図７等に示すように、前ケース本体１１と、前ケース上膨出部１２と、前ケース下膨出部１３とを具備し、これら各部を合成樹脂により一体に形成してなる。
【００２１】
より具体的に前記前ケース本体１１は、正面視略円形状の前ケース本体前壁１１１とこの前ケース本体前壁１１１の周端縁から後側へ略９０度起立させた前ケース本体周壁１１２とを備え、該前ケース本体１１の後側を開口させてなる。また、前記前ケース本体前壁１１１の略中央部には、前後方向に貫通させた正面視横長略楕円形状の前壁貫通孔１１１ａが形成されている。さらに、前記前ケース本体前壁１１１の後面側には、前記前壁貫通孔１１１ａに向けて２つの薄肉部（以下、前壁内薄肉部１１１ｘと前壁外薄肉部１１１ｙと称する。）を形成するための２つの段部（前壁内段部１１ＤＸと前壁外段部１１ＤＹと称する。）を備えている。そして、前壁外薄肉部１１１ｙの厚み寸法が前記前壁内薄肉部１１１ｘの厚み寸法よりも大きな厚み寸法を有するように構成している。また、２つの段部のうち前壁内段部１１ＤＸは正面視略円形状をなし、その円周方向に所定ピッチで前壁内薄肉部１１１ｘを拡大する方向に切り欠いてなる正面視略部分円弧状の切欠部１１Ｚを複数備えている。そして、前記前壁内段部１１ＤＸの端面と前記切欠部１１Ｚの後向面１１Ｚ１とによって、後述する被係合部Ｎと係合する係合部Ｍを構成している。一方、前壁外段部１１ＤＹは前記前壁内段部１１ＤＸと同心円形状をなし、その内径を後述するリール鍔部３２の外径と略同一に構成されている。
【００２２】
前ケース上膨出部１２は、前記前ケース本体前壁１１１の前壁貫通孔１１１ａの上端縁から前記前ケース本体周壁１１２の上部にかけて膨出させた正面視略縦長矩形状のものである。
【００２３】
前ケース下膨出部１３は、前記前ケース本体前壁１１１の前壁貫通孔１１１ａの下端縁から前記前ケース本体周壁１１２の下部にかけて膨出させた正面視略横長矩形状のものである。
【００２４】
後ケース２は、図３〜図７等に示すように、後ケース本体２１と、後ケース上膨出部２２と、後ケース下膨出部２３と被支持体取付部２４とを備え、これら各部を合成樹脂により一体に形成してなる。
【００２５】
より具体的に後ケース本体２１は、正面視略円形状の後ケース本体後壁２１１とこの後ケース本体後壁２１１の周端縁から前側へ略９０度起立させた後ケース本体周壁２１２とを備え、該後ケース本体２１の前側を開口させてなる。そして、前記後ケース本体後壁２１１の前面側略中央部には、前記コイルばね４を支持するための突出部２１Ｔと、進退するリール３との当接を避けるための退避空間２１ｙを備える退避部２１Ｙとを設けている。前記突出部２１Ｔは、略円柱形状をなすものである。また、退避部２１Ｙは、前記突出部２１Ｔの基端部の外周部を所定深さ窪ませた正面視略円形状のものである。
【００２６】
後ケース上膨出部２２は、前記後ケース本体後壁２１１の略中央部から前記後ケース本体周壁２１２の上部にかけて膨出させた正面視略縦長矩形状のものである。
【００２７】
さらに、前記後ケース上膨出部２２には、前後方向に貫通し前記紐体Ｌを相通するための紐体挿通孔２２Ｌを形成している。なお、本実施形態では、この紐体挿通孔２２Ｌに略円筒状をなす補強部材２ＨＢを装着している。これにより、紐体挿通孔２２Ｌと紐体Ｌとの直接的な接触を避け、例えば、接触によって紐体Ｌが切れてしまうことを防止している。
【００２８】
後ケース下膨出部２３は、前記後ケース本体後壁２１１の略中央部から前記後ケース本体周壁２１２の下部にかけて膨出させた正面視略横長矩形状のものである。
【００２９】
被支持体取付部２４は、前記後ケース下膨出部２３の左右端部外方の前記後ケース本体周壁２１２から下方へ膨出させたものである。そしてその下端部が前記後ケース下膨出部２３の下端縁よりもさらに下方に位置付けられるようにしている。また、該被支持体取付部２４の略中央部には、前後方向に貫通させた正面視横長略矩形状の被支持体取付孔２４Ａが形成されている。本実施形態では、この被支持体取付孔２４Ａに名刺フォルダＢのストラップＢＳを挿通することにより、該被支持体取付部２４が名刺フォルダＢを支持し得るようにしている。
【００３０】
また、該後ケース２には、その前端部側で且つ前記被支持体取付部２４を避ける位置に、前記前ケース１に取り付けるための印籠構造をなす薄肉部２ｅを形成している。
【００３１】
リール３は、図３、図６、図７に示すように、リール本体３１と対をなすリール鍔部３２とリール中心板３３とを具備するものである。
【００３２】
より具体的にリール本体３１は、略円筒状をなすものであり、前記紐体Ｌを円筒面３１ｍで巻き取り得るように構成している。また、前記円筒面３１ｍには、前記紐体Ｌを挿通させるための紐体挿通孔３１ｍＬを備えている。この紐体挿通孔３１ｍＬは、該紐体挿通孔３１ｍＬに挿通された紐体Ｌが該紐体挿通孔３１ｍＬから抜け落ちることを防止するために、その径を紐体Ｌの先端膨出部Ｌ２１よりも小さくなるように構成している。さらに、前記円筒面３１ｍには、後述するゼンマイばね６の他端部６１を取り付けるためのゼンマイばね取付部３１Ｘを備えている。このゼンマイばね取付部３１Ｘは、該リール本体３１の円周方向と直交する方向に該リール本体３１を分断する一対のスリットＳＬに挟まれる部位に形成され略扁平角柱形状を有してなる。そして、基端縁を後側のリール鍔部３２に連接され、前側から装着する前記ゼンマイばね６が後側に抜け落ちることを防止している。
【００３３】
リール鍔部３２は、前記リール本体３１の外径寸法よりも大きな外径寸法を有する正面視略円環状のものである。そして、前面側のリール鍔部３２には、前ケース１に設けた複数の係合部Ｍと対応する位置に、その複数の係合部Ｍと凹凸係合するための複数の被係合部Ｎが形成されている。この係合部Ｍと被係合部Ｎとがロック手段Ｅを構成している。
【００３４】
また、該リール鍔部３２の内径周端部３２１に、該リール鍔部３２の前向面３２０から後側へ若干窪ませたリール内側段部３２Ｄを形成し、このリール内側段部３２Ｄに後述するボタン鍔部５２の後端周縁部が重合するように構成している。
【００３５】
リール中心板３３は、前記リール本体３１の内壁面３１０間に横架するように設けてなる。そして、該リール中心板３３の前面側略中央部には、リール中心板３３前面よりも若干後側へ窪ませた窪み部３３ｋが形成されている。この窪み部３３ｋは正面視略円形状をなし、その中央部には前側に半球状に膨出させた膨出部３３ｋ１を有している。また、該リール中心板３３の後面側略中央部には、円筒状のコイルばね保護部３３Ｃを備えている。そして該リール３が進退すると、コイルばね保護部３３Ｃがコイルばね４と突出部２１Ｔとを包持しつつ、該コイルばね保護部３３Ｃの先端部が後ケース２の退避部２１Ｙの退避空間２１ｙを進退する（図６、図７参照）。
【００３６】
コイルばね４は、図３、図６、図７に示すように、前記後ケース２と前記リール３との間に配置されるものである。そして、一端部４１側を前記後ケース２に設けた突出部２１Ｔに支持されるとともに、他端部４２の先端を前記リール３に当接させてなる。
【００３７】
ロック解除ボタン５は、図１〜図７に示すように、ロック解除操作部５１とボタン鍔部５２とボタン押圧部５３とを備え、これら各部を合成樹脂により一体に形成してなる。
【００３８】
より具体的にロック解除操作部５１は、正面視横長略楕円形状をなすものである。そしてロック解除操作部５１の外径寸法を、前記前ケース１の前壁貫通孔１１１ａの内径寸法よりも若干小さく形成している。
【００３９】
ボタン鍔部５２は、前記ロック解除操作部５１の基端部周端縁を外側へ膨出させた正面視略円形状のものである。
【００４０】
そしてこのボタン鍔部５２の外形寸法を、前記前ケース１の前壁貫通孔１１１ａの内径寸法よりも大きく且つ前記リール３のリール内側段部３２Ｄの内径寸法と略同一の寸法を有するように形成している。このことにより前記前ケース１の前壁貫通孔１１１ａを後側から前側へ挿通させたロック解除操作部５１が、その前壁貫通孔１１１ａから抜け落ちることを防止している。また、該ロック解除ボタン５が操作を受けていない状態では、該ボタン鍔部５２が前記前ケース本体前壁１１１の前壁内薄肉部１１１ｘと重合するように構成されている（図６参照）。
【００４１】
ボタン押圧部５３は、上ボタン押圧部５３１と下ボタン押圧部５３２とを備え、これら各部を前記ロック解除操作部５１からその後側に膨出させてなる。そして、前記下ボタン押圧部５３２に、後述するゼンマイばね６の一端部６２を取り付けてなる。そして、このボタン押圧部５３の後端部と前記リール３の窪み部３３ｋ及び膨出部３３ｋ１とが、前記リール３を前記突出部２１Ｔ回りに正逆回転可能に安定支持する位置決め要素３Ｓを構成している（図６、図７参照）。なお、本実施形態では、ボタン鍔部５２の周縁部と前記リール３のリール内側段部３２Ｄとが嵌合することにより、リール３の正逆回転をさらに安定支持する補助的な機能を発揮する。
【００４２】
ゼンマイばね６は、図３に示すように、弾性力を有する薄板鋼を細長くして渦巻状に巻いたものである。そして、一端部６２をロック解除ボタン５に取り付けられ、他端部６１をリール３のゼンマイばね取付部３１Ｘに取り付けられている。これにより、紐体Ｌを引っ張り出すと、リール３が回転して該ゼンマイばね６が巻き締められ、該紐体Ｌを巻き取る方向に付勢力を発生する。なお、このゼンマイばね６は、薄板鋼のものに限らず合成樹脂製のものであってもよい。また、このゼンマイばね６と前記リール３とが紐体Ｌを自動的に巻き取る巻取手段Ｅを構成している。
【００４３】
以上のように構成される巻取装置Ｐの使用方法を、▲１▼操作者Ｓの胸ポケットＳ１に装着したクリップＡに支持されている名刺フォルダＢをその操作者Ｓから離間させる場合、▲２▼操作者Ｓから離間した位置にある名刺フォルダＢをその操作者Ｓに近づける場合、の２つに分けて説明する。
【００４４】
▲１▼操作者Ｓの胸ポケットＳ１に取り付けたクリップＡに支持されている名刺フォルダＢをその操作者Ｓから離間させる場合
ロック解除ボタン５が操作者Ｓによる操作を受けていない場合には、図６に示すように、コイルばね４が、リール３を前ケース本体１１に押し当てる方向（前方向）に付勢している。これにより、前ケース１の係合部Ｍとリール３の被係合部Ｎとが常に係合する巻取動作ロック状態となっている。そして、ロック解除ボタン５のロック解除操作部５１を前ケース本体１１の内側へ押し込むように操作すると（操作状態）、この操作を受けたロック解除ボタン５は、リール３を後方向へ移動させる。このため、係合部Ｍと被係合部Ｎとの係合が解除された巻取可能状態になる（図７参照）。このようにしてリール３は前記突出部２１Ｔ回りに正逆回転可能となり、ケースＣをクリップＡから離間させる方向すなわち下向きに引っ張ると、リール本体３１に巻き取られていた紐体Ｌが引き出され、名刺フォルダＢを所望の位置に位置付けることができる（紐体Ｌを引き出した状態（図１参照））。
【００４５】
そして、紐体Ｌを適宜引き出した位置で、ロック解除ボタン５のロック解除操作部５１を前ケース本体１１の内側へ押し込む操作をやめれば（非操作状態）、コイルばね４が、リール３を前ケース本体１１側へ移動させ、前ケース１の係合部Ｍとリール３の被係合部Ｎとが係合する巻取動作ロック状態となる。なお、このとき、係合部Ｍと被係合部Ｎとが平面視重合しない位置にある場合でも、リール３がゼンマイばね６により回転させられるので、係合部Ｍ及び被係合部Ｎはすぐに係合状態になる。
【００４６】
このようにして、名刺フォルダＢを操作者Ｓから離間させた所望の位置に位置付けることができる。
【００４７】
なお、本実施形態では、図７に示すように、操作時において、前ケース上膨出部１２、ロック解除操作部５１及び前ケース下膨出部１３のそれぞれの前向面Ｃ１、Ｃ２、Ｃ３が略面一になるように構成することにより、接触感を向上させている。
【００４８】
▲２▼操作者Ｓから離間した位置にある名刺フォルダＢをその操作者Ｓに近づける場合
名刺フォルダＢが操作者Ｓから離間した位置にある場合でも前述の▲１▼の場合と同様に、該巻取装置Ｐのロック解除ボタン５が操作者Ｓによる操作を受けていなければ、前ケース１の係合部Ｍとリール３の被係合部Ｎとが常に係合する巻取動作ロック状態となっている。
【００４９】
そして、▲１▼の場合と同様に、ロック解除ボタン５のロック解除操作部５１を前ケース本体１１の内側へ押し込むように操作すると、係合部Ｍと被係合部Ｎとの係合が解除された巻取可能状態になる（図７参照）。このように、係合解除されたリール３は前記突出部２１Ｔ回りに正逆回転可能になり、クリップＡに近づける方向にケースを移動すると、リール本体３１が紐体Ｌを巻き取りを行う。
【００５０】
このとき、ゼンマイばね６の巻取力が強く紐体Ｌが急激に巻き取られたと仮定する。しかしながら、紐体Ｌの両端Ｌ１、Ｌ２は、操作者Ｓによって操作されているケースＣとクリップＡとによって自由な動きを束縛されており、また、名刺フォルダＢは、操作を受けているケースＣに直接取り付けられているので、該名刺フォルダＢが、紐体Ｌの巻き取りによって自由な動きが発生することはない。すなわち、好適に紐体Ｌを巻き取りながら名刺フォルダＢをクリップＡへ安全に近づけることができる。
【００５１】
そして、名刺フォルダＢを所望の位置に位置付けて、ロック解除操作部５１を前ケース本体１１の内側へ押し込む操作をやめると、▲１▼の場合と同様に、前ケース１の係合部Ｍとリール３の被係合部Ｎとが係合する巻取動作ロック状態となる（図６参照）。
【００５２】
ところで、本実施形態では、クリップＡの前側下端部に略半球形状に膨出させた凸部ＡＴを設け、後ケース２の後側上端部に略半球形状に窪ませた前記凸部ＡＴに嵌め合わされる凹部２Ｔを設けている。そして、この凸部ＡＴと凹部２Ｔとが方向制御手段ＨＳを構成している。これにより、ケースＣとクリップＡとが当接する位置まで紐体Ｌを巻き上げる（紐体Ｌを巻き取った状態（図２参照））と、クリップＡの凸部ＡＴと後ケース２の凹部２Ｔとが嵌合し、該クリップＡが前ケース１を前側にして静止させる。これにより、前側に表面を向くようにしてケースＣに支持される名刺フォルダＢは、その表面が必ず前側に位置付けられることになる。このため、表面を前にする手間が省けるので使い勝手もよく、また、見栄えもよい。
【００５３】
また、この方向制御手段ＨＳにより、胸ポケットＳ１に取り付けているクリップＡを、襟等のどの位置に取り付けても、ケースＣ及び名刺フォルダＢを常に下に向けておくことが可能となる。なお、方向制御手段ＨＳは本実施形態に限られない。前記凸部ＡＴと凹部２Ｔとの形状なども実施態様に応じて適宜設定可能であることは言うまでもない。
【００５４】
また、クリップＡに挿通させた紐体Ｌの先端部には、縒り戻しに用いる縒り戻し部（図示せず）を備えることにより、紐体Ｌの巻取り時に生じるよじれを防止している。
【００５５】
以上のように、操作者Ｓから離間した位置にある名刺フォルダＢをその操作者Ｓに近づける際に、紐体Ｌが急激に巻き取られることがあっても、名刺フォルダＢがその紐体Ｌによって自由な動きをすることがなく、安全に名刺フォルダＢをクリップＡに近づけることができる。
【００５６】
また、ロック解除ボタン５を押すだけで紐体Ｌの巻き取りを行えるので、操作者Ｓに巻き取りのための余分な負担を与えることがない。さらに、巻取手段Ｅの巻き取りを解除するには、操作しているロック解除ボタン５の押し込み操作を止めれば、巻取手段Ｅによる巻き取り動作がすぐにロックされるので、予測しない巻取動作による不具合にも即座に対応することができる。
【００５７】
そして、紐体Ｌの巻き取りをケースＣ内で回動するリール３により実現しているので、紐体Ｌを巻き取るためのスペースを小さくでき、装置自体をコンパクトなものとすることができる。
【００５８】
また、ロック手段Ｄを、凹凸係合する係合部Ｍと被係合部Ｎとで実現しているので、該ロック手段Ｄを簡単に構成でき又確実な動作も得られる。さらに、係合部Ｍと被係合部Ｎとが常に係合するような付勢力を与えるコイルバネ４を備えているので、不意に紐体Ｌが巻き取られることを防止できる。
【００５９】
さらに、方向制御手段ＨＳを備えているので、名刺フォルダＢの表面を前に向けるといった手間がかからないので使い勝手もよく、また、見栄えもよい。
【００６０】
このように、巻き取り時の安全性が非常に高くまた簡単に操作可能で且つ操作感にも優れるといった高機能な巻取装置Ｐを提供することができる。
【００６１】
なお、本発明は、以上に詳述した実施形態に限られるものではない。
【００６２】
例えば、巻取手段ＥをクリップＡの近傍に設けてもよい。また、ロック手段Ｄ及びロック解除手段５の構成や、ロック手段Ｄを構成する係合部Ｍ及び被係合部Ｎの構成も本実施形態のものに限られない。
【００６３】
また、本実施形態の支持体には、図１〜図７に示すように、対向する舌片状の前舌片Ａ１と後舌片Ａ２との間にそれら部材の弾性変形を利用して他の部材を挟持するタイプのクリップＡを用いたが、例えば、ピン部材を用いて被服に止着するタイプのもの等でも構わない。
【００６４】
そして、被支持体も名刺フォルダＢに限られるものではない。
【００６５】
さらに巻取装置は、例えば、掃除機などにも適用させることができる。具体的には、被支持体を差込プラグとし、支持体を掃除機本体とした際に、前記掃除機本体及び前記差込プラグ間を連結する電気コードの巻取動作のロックを解除するロック解除手段を、その差込プラグ近傍に設けるなどして巻取装置を構成すればよい。
【００６６】
また、巻取装置Ｐを操作する操作者は、図１、図２に示す操作者Ｓに限られない。
【００６７】
その他本発明は以上に詳述した図示例に限られず、種々の変形が可能である。
【００６８】
【発明の効果】
以上に詳述したように本発明に係る巻取装置は、操作者に装着又はその操作者の近傍に設けてなる支持体と前記支持体に対して接離動作する被支持体とを連結する連結部材と、前記支持体と前記被支持体とが接近するように前記連結部材を自動的に巻き取る巻取手段と、前記巻取手段の巻き取り動作をロックするロック手段と、前記被支持体の近傍に設けられ所定操作によって前記ロック手段のロックを解除するロック解除手段とを具備したものであるので、巻取手段により連結部材が急激に巻き取られた場合でも、連結部材は、ロック解除操作をしている操作者によって自由な動きを束縛されており、また、被支持体は、操作を受けているケース本体に直接取り付けられているので、該被支持体が、連結部材の巻き取りによって自由な動きが発生することはなく、安全性の高い巻取装置を実現できる。
【図面の簡単な説明】
【図１】本発明の実施形態における巻取装置の全体斜視図（紐体を引き出した状態）。
【図２】本発明の実施形態における巻取装置の全体斜視図（紐体を巻き取った状態）。
【図３】同実施形態における巻取装置の分解斜視図。
【図４】同実施形態における巻取装置の正面図。
【図５】同実施形態における巻取装置の側面図（非操作状態）。
【図６】同実施形態における巻取装置の構造断面図（非操作状態）。
【図７】同実施形態における巻取装置の構造断面図（操作状態）。
【符号の説明】
Ａ・・・支持体（クリップ）
Ｂ・・・被支持体（名刺フォルダ）
Ｃ・・・第２の部材（ケース）
Ｄ・・・ロック手段
Ｅ・・・巻取手段
Ｌ・・・連結部材（紐体）
Ｍ・・・係合部
Ｎ・・・被係合部
Ｐ・・・巻取装置
Ｓ・・・操作者
３・・・第１の部材（リール）
３Ｓ・・・位置決め要素
４・・・ロック用付勢手段（コイルばね）
５・・・ロック解除手段（ロック解除ボタン）
６・・・巻取用付勢手段（ゼンマイばね）
２１Ｔ・・・所定軸（突出部）
５３・・・押圧部（ボタン押圧部）
ＨＳ・・・方向制御手段
２Ｔ・・・凹部
ＡＴ・・・凸部
【図１】
2004359447.tif 000003
【図２】
2004359447.tif 000004
【図３】
2004359447.tif 000005
【図４】
2004359447.tif 000006
【図５】
2004359447.tif 000007
【図６】
2004359447.tif 000008
【図７】
2004359447.tif 000009